(57)【要約】【課題】放射線画像の撮影時間を短縮することができる放射線画像撮影装置、放射線画像撮影方法、及び放射線画像撮影プログラムを得る。【解決手段】放射線画像撮影装置１６は、薄膜トランジスタ３２Ｂを含んで構成される複数の画素３２が２次元状に配置され、かつ接続された画素３２に蓄積された電荷を電気信号として伝送するデータ配線３６を含む放射線検出器２０と、データ配線３６を伝送される電気信号を各々サンプルホールドする第１サンプルホールド部及び第２サンプルホールド部と、を備え、画素３２に蓄積された電荷を読み出す場合に、薄膜トランジスタ３２Ｂをオフ状態として第１サンプルホールド部によりデータ配線３６を伝送される第１電気信号をサンプルホールドし、かつ薄膜トランジスタ３２Ｂをオン状態として第２サンプルホールド部によりデータ配線３６を伝送される第２電気信号をサンプルホールドする制御を行う。【選択図】図３
2018068874.tif 000002
【特許請求の範囲】
【請求項１】
照射された放射線の線量の増加に伴い、発生する電荷が増加する変換素子、及び制御信号の状態に応じてオン状態とオフ状態とが切り替えられて前記変換素子により発生された電荷を読み出すスイッチング素子を含んで構成される複数の画素が２次元状に配置され、前記画素に接続され、かつ接続された前記画素に蓄積された電荷を電気信号として伝送するデータ配線を含む放射線検出器と、
前記データ配線を伝送される電気信号を各々サンプルホールドする第１サンプルホールド部及び第２サンプルホールド部と、
前記画素に蓄積された電荷を読み出す場合に、前記スイッチング素子をオフ状態として前記第１サンプルホールド部により前記データ配線を伝送される第１電気信号をサンプルホールドし、かつ前記スイッチング素子をオン状態として前記第２サンプルホールド部により前記データ配線を伝送される第２電気信号をサンプルホールドする制御を行う制御部と、
を備えた放射線画像撮影装置。
【請求項２】
前記制御部は、放射線画像の撮影に先立って放射線の非照射時に前記制御を行って予め得られた前記第１電気信号と前記第２電気信号との差を補正値として取得し、前記補正値を用いて、前記画素に蓄積された電荷を読み出す場合に前記制御を行って得られた前記第１電気信号と前記第２電気信号との差を補正する
請求項１に記載の放射線画像撮影装置。
【請求項３】
前記制御部は、放射線画像の撮影を行う毎に放射線の非照射時に前記制御を行って予め得られた前記第１電気信号と前記第２電気信号との差を補正値として取得し、前記補正値を用いて、前記画素に蓄積された電荷を読み出す場合に前記制御を行って得られた前記第１電気信号と前記第２電気信号との差を補正する
請求項１に記載の放射線画像撮影装置。
【請求項４】
前記制御部は、放射線画像の撮影を行う毎に放射線の照射前に前記補正値を取得する
請求項３に記載の放射線画像撮影装置。
【請求項５】
前記制御部は、前記補正値を画素毎に取得して前記補正に用いる
請求項２から請求項４の何れか１項に記載の放射線画像撮影装置。
【請求項６】
前記制御部は、前記補正値を取得する場合における前記スイッチング素子に入力する前記制御信号の電圧値で、前記画素に蓄積された電荷を読み出す場合における前記スイッチング素子に前記制御信号を入力する
請求項２から請求項５の何れか１項に記載の放射線画像撮影装置。
【請求項７】
前記制御部は、前記画素に蓄積された電荷を読み出す場合で、かつ透視撮影を行う場合に、前記制御を行う
請求項１から請求項６の何れか１項に記載の放射線画像撮影装置。
【請求項８】
前記透視撮影は、放射線をパルス状に照射した状態での透視撮影である
請求項７に記載の放射線画像撮影装置。
【請求項９】
前記制御部が前記制御を行う第１撮影モードと、前記制御部が前記スイッチング素子をオフ状態として前記第１サンプルホールド部により前記データ配線を伝送される第１電気信号をサンプルホールドし、かつ前記スイッチング素子をオン状態とした後にオフ状態として前記第２サンプルホールド部により前記データ配線を伝送される第２電気信号をサンプルホールドする制御を行う第２撮影モードとが切り替え可能とされた
請求項１から請求項８の何れか１項に記載の放射線画像撮影装置。
【請求項１０】
前記スイッチング素子は、アモルファスシリコンを含んで構成された
請求項１から請求項９の何れか１項に記載の放射線画像撮影装置。
【請求項１１】
照射された放射線の線量の増加に伴い、発生する電荷が増加する変換素子、及び制御信号の状態に応じてオン状態とオフ状態とが切り替えられて前記変換素子により発生された電荷を読み出すスイッチング素子を含んで構成される複数の画素が２次元状に配置され、前記画素に接続され、かつ接続された前記画素に蓄積された電荷を電気信号として伝送するデータ配線を含む放射線検出器と、前記データ配線を伝送される電気信号を各々サンプルホールドする第１サンプルホールド部及び第２サンプルホールド部と、を備えた放射線画像撮影装置による放射線画像撮影方法であって、
前記画素に蓄積された電荷を読み出す場合に、前記スイッチング素子をオフ状態として前記第１サンプルホールド部により前記データ配線を伝送される第１電気信号をサンプルホールドし、かつ前記スイッチング素子をオン状態として前記第２サンプルホールド部により前記データ配線を伝送される第２電気信号をサンプルホールドする制御を行う
処理を含む放射線画像撮影方法。
【請求項１２】
照射された放射線の線量の増加に伴い、発生する電荷が増加する変換素子、及び制御信号の状態に応じてオン状態とオフ状態とが切り替えられて前記変換素子により発生された電荷を読み出すスイッチング素子を含んで構成される複数の画素が２次元状に配置され、前記画素に接続され、かつ接続された前記画素に蓄積された電荷を電気信号として伝送するデータ配線を含む放射線検出器と、前記データ配線を伝送される電気信号を各々サンプルホールドする第１サンプルホールド部及び第２サンプルホールド部と、を備えた放射線画像撮影装置を制御するコンピュータに実行させる放射線画像撮影プログラムであって、
前記画素に蓄積された電荷を読み出す場合に、前記スイッチング素子をオフ状態として前記第１サンプルホールド部により前記データ配線を伝送される第１電気信号をサンプルホールドし、かつ前記スイッチング素子をオン状態として前記第２サンプルホールド部により前記データ配線を伝送される第２電気信号をサンプルホールドする制御を行う
ことを含む処理をコンピュータに実行させる放射線画像撮影プログラム。
【発明の詳細な説明】
【技術分野】
【０００１】
本開示は、放射線画像撮影装置、放射線画像撮影方法、及び放射線画像撮影プログラムに関する。
【背景技術】
【０００２】
従来、ＣＣＤ（Charge Coupled Device）センサを用いた撮像装置において、被写体の光学像が光電変換された電気信号に対して、サンプルホールドするタイミングを変更する技術が知られている（特許文献１参照）。
【先行技術文献】
【特許文献】
【０００３】
【特許文献１】特開２００５−０２６７９６号公報
【発明の概要】
【発明が解決しようとする課題】
【０００４】
ところで、ＴＦＴ（Thin Film Transistor）等のスイッチング素子を含む画素を備えた放射線検出器を用いた放射線画像の撮影では、スイッチング素子に制御信号を入力する前後に、画素に接続されたデータ配線を伝送される電気信号をサンプルホールドする場合が多い。そして、この場合、スイッチング素子のゲート電極に、スイッチング素子をオン状態とする制御信号を入力する前後にサンプルホールドして得られた電気信号の差分が、画素からの出力信号として画像データの生成に用いられる。
【０００５】
前述したスイッチング素子では、オン状態からオフ状態に変化する場合、及びオフ状態からオン状態に変化する場合に、スイッチング素子のゲート電極とソース電極との間の寄生容量から電荷が移動する。このため、スイッチング素子をオン状態として画素に蓄積された電荷を読み出した後、スイッチング素子をオフ状態としてから、さらに寄生容量から電荷が移動するまで待機してからサンプルホールドしていた。この結果、放射線画像の撮影時間を短縮できない、という問題点があった。
【０００６】
上記特許文献１に記載の技術は、ＣＣＤセンサを用いたものであるため、前述した寄生容量からの電荷の移動を待機する期間は無視できる程度のものである。従って、上記特許文献１に記載の技術は、上記問題点について考慮されていない。
【０００７】
本開示は、以上の事情を鑑みて成されたものであり、放射線画像の撮影時間を短縮可能とする放射線画像撮影装置、放射線画像撮影方法、及び放射線画像撮影プログラムを提供することを目的とする。
【課題を解決するための手段】
【０００８】
上記目的を達成するために、本開示の放射線画像撮影装置は、照射された放射線の線量の増加に伴い、発生する電荷が増加する変換素子、及び制御信号の状態に応じてオン状態とオフ状態とが切り替えられて変換素子により発生された電荷を読み出すスイッチング素子を含んで構成される複数の画素が２次元状に配置され、画素に接続され、かつ接続された画素に蓄積された電荷を電気信号として伝送するデータ配線を含む放射線検出器と、データ配線を伝送される電気信号を各々サンプルホールドする第１サンプルホールド部及び第２サンプルホールド部と、画素に蓄積された電荷を読み出す場合に、スイッチング素子をオフ状態として第１サンプルホールド部によりデータ配線を伝送される第１電気信号をサンプルホールドし、かつスイッチング素子をオン状態として第２サンプルホールド部によりデータ配線を伝送される第２電気信号をサンプルホールドする制御を行う制御部と、を備えている。
【０００９】
なお、本開示の放射線画像撮影装置は、制御部が、放射線画像の撮影に先立って放射線の非照射時に上記制御を行って予め得られた第１電気信号と第２電気信号との差を補正値として取得し、補正値を用いて、画素に蓄積された電荷を読み出す場合に上記制御を行って得られた第１電気信号と第２電気信号との差を補正してもよい。
【００１０】
また、本開示の放射線画像撮影装置は、制御部が、放射線画像の撮影を行う毎に放射線の非照射時に上記制御を行って予め得られた第１電気信号と第２電気信号との差を補正値として取得し、補正値を用いて、画素に蓄積された電荷を読み出す場合に上記制御を行って得られた第１電気信号と第２電気信号との差を補正してもよい。
【００１１】
また、本開示の放射線画像撮影装置は、制御部が、放射線画像の撮影を行う毎に放射線の照射前に補正値を取得してもよい。
【００１２】
また、本開示の放射線画像撮影装置は、制御部が、補正値を画素毎に取得して補正に用いてもよい。
【００１３】
また、本開示の放射線画像撮影装置は、制御部が、補正値を取得する場合におけるスイッチング素子に入力する制御信号の電圧値で、画素に蓄積された電荷を読み出す場合におけるスイッチング素子に制御信号を入力してもよい。
【００１４】
また、本開示の放射線画像撮影装置は、制御部が、画素に蓄積された電荷を読み出す場合で、かつ透視撮影を行う場合に、上記制御を行ってもよい。
【００１５】
また、本開示の放射線画像撮影装置は、透視撮影が、放射線をパルス状に照射した状態での透視撮影であってもよい。
【００１６】
また、本開示の放射線画像撮影装置は、制御部が上記制御を行う第１撮影モードと、制御部がスイッチング素子をオフ状態として第１サンプルホールド部によりデータ配線を伝送される第１電気信号をサンプルホールドし、かつスイッチング素子をオン状態とした後にオフ状態として第２サンプルホールド部によりデータ配線を伝送される第２電気信号をサンプルホールドする制御を行う第２撮影モードとが切り替え可能とされてもよい。
【００１７】
また、本開示の放射線画像撮影装置は、スイッチング素子が、アモルファスシリコンを含んで構成されてもよい。
【００１８】
一方、上記目的を達成するために、本開示の放射線画像撮影方法は、照射された放射線の線量の増加に伴い、発生する電荷が増加する変換素子、及び制御信号の状態に応じてオン状態とオフ状態とが切り替えられて変換素子により発生された電荷を読み出すスイッチング素子を含んで構成される複数の画素が２次元状に配置され、画素に接続され、かつ接続された画素に蓄積された電荷を電気信号として伝送するデータ配線を含む放射線検出器と、データ配線を伝送される電気信号を各々サンプルホールドする第１サンプルホールド部及び第２サンプルホールド部と、を備えた放射線画像撮影装置による放射線画像撮影方法であって、画素に蓄積された電荷を読み出す場合に、スイッチング素子をオフ状態として第１サンプルホールド部によりデータ配線を伝送される第１電気信号をサンプルホールドし、かつスイッチング素子をオン状態として第２サンプルホールド部によりデータ配線を伝送される第２電気信号をサンプルホールドする制御を行う処理を含む。
【００１９】
また、上記目的を達成するために、本開示の放射線画像撮影プログラムは、照射された放射線の線量の増加に伴い、発生する電荷が増加する変換素子、及び制御信号の状態に応じてオン状態とオフ状態とが切り替えられて変換素子により発生された電荷を読み出すスイッチング素子を含んで構成される複数の画素が２次元状に配置され、画素に接続され、かつ接続された画素に蓄積された電荷を電気信号として伝送するデータ配線を含む放射線検出器と、データ配線を伝送される電気信号を各々サンプルホールドする第１サンプルホールド部及び第２サンプルホールド部と、を備えた放射線画像撮影装置を制御するコンピュータに実行させる放射線画像撮影プログラムであって、画素に蓄積された電荷を読み出す場合に、スイッチング素子をオフ状態として第１サンプルホールド部によりデータ配線を伝送される第１電気信号をサンプルホールドし、かつスイッチング素子をオン状態として第２サンプルホールド部によりデータ配線を伝送される第２電気信号をサンプルホールドする制御を行うことを含む処理をコンピュータに実行させるものである。
【発明の効果】
【００２０】
本開示によれば、放射線画像の撮影時間を短縮することができる。
【図面の簡単な説明】
【００２１】
【図１】実施の形態に係る放射線画像撮影システムの構成の一例を示すブロック図である。
【図２】実施の形態に係る放射線画像撮影装置の構成の一例を示す側面断面図である。
【図３】実施の形態に係る放射線画像撮影装置の電気系の要部構成の一例を示すブロック図である。
【図４】実施の形態に係る信号処理部の構成の一例を示す回路図である。
【図５】実施の形態に係るコンソールの電気系の要部構成の一例を示すブロック図である。
【図６】放射線をパルス状に照射して行う透視撮影の説明に供するタイミングチャートである。
【図７】通常モードでの蓄積処理及び読出処理の一例を示すタイミングチャートである。
【図８】通常モードでの待機期間の説明に供する回路図である。
【図９】高速モードでの蓄積処理及び読出処理の一例を示すタイミングチャートである。
【図１０】撮影モード選択画面の一例を示す概略図である。
【図１１】実施の形態に係る全体撮影処理プログラムの処理の流れを示すフローチャートである。
【図１２】実施の形態に係る放射線画像撮影処理プログラムの処理の流れを示すフローチャートである。
【図１３】変形例に係る補正値取得処理、蓄積処理、及び読出処理の一例を示すタイミングチャートである。
【発明を実施するための形態】
【００２２】
以下、図面を参照して、本発明を実施するための形態例を詳細に説明する。
【００２３】
まず、図１を参照して、本実施の形態に係る放射線画像撮影システム１０の構成について説明する。図１に示すように、放射線画像撮影システム１０は、放射線照射装置１２、放射線画像撮影装置１６、及びコンソール１８を備えている。
【００２４】
本実施の形態に係る放射線照射装置１２は、例えばエックス線（Ｘ線）等の放射線Ｒを撮影対象の一例である被検体Ｗに照射する放射線源１４を備えている。放射線照射装置１２の一例としては、回診車等が挙げられる。なお、放射線照射装置１２に対して放射線Ｒの照射を指示する方法は、特に限定されない。例えば、放射線照射装置１２が照射ボタン等を備えている場合は、放射線技師等のユーザが照射ボタンにより放射線Ｒの照射の指示を行うことで、放射線照射装置１２から放射線Ｒを照射してもよい。また、例えば、放射線技師等のユーザが、コンソール１８を操作して放射線Ｒの照射の指示を行うことで、放射線照射装置１２から放射線Ｒを照射してもよい。
【００２５】
放射線照射装置１２は、放射線Ｒの照射の指示を受け付けると、設定された管電圧、管電流、及び照射期間等の照射条件に従って、放射線源１４から放射線Ｒを照射する。なお、以下では、放射線Ｒの線量を、単に「放射線量」という。
【００２６】
本実施の形態に係る放射線画像撮影装置１６は、放射線照射装置１２から照射され、被検体Ｗを透過した放射線Ｒを検出する放射線検出器２０を備えている。放射線画像撮影装置１６は、放射線検出器２０を用いて、被検体Ｗの放射線画像を撮影する。
【００２７】
次に、図２を参照して、本実施の形態に係る放射線画像撮影装置１６の構成について説明する。図２に示すように、放射線画像撮影装置１６は、放射線Ｒを透過する平板状の筐体２１を備え、防水性、抗菌性、及び密閉性を有する構造とされている。筐体２１内には、放射線検出器２０、制御基板２６、及びケース２８が設けられている。
【００２８】
放射線検出器２０は、放射線Ｒが照射されることにより光を発する発光層の一例としてのシンチレータ２２、及びＴＦＴ（Thin Film Transistor）基板３０を備えている。また、シンチレータ２２及びＴＦＴ基板３０は、放射線Ｒの入射側からシンチレータ２２及びＴＦＴ基板３０の順番で積層されている。
【００２９】
すなわち、放射線検出器２０は、シンチレータ２２側から放射線Ｒが入射される裏面読取方式（所謂ＰＳＳ（Penetration Side Sampling）方式）の放射線検出器である。
【００３０】
制御基板２６は、放射線検出器２０に対応して設けられ、後述する画像メモリ５６及び制御部５８等の電子回路が基板上に形成されている。また、制御基板２６は、放射線検出器２０における放射線Ｒの入射側の反対側に配置されている。
【００３１】
ケース２８は、筐体２１内の一端側の放射線検出器２０とは重ならない位置（すなわち、撮影領域の範囲外）に配置され、後述する電源部７０等が収容される。なお、ケース２８の設置位置は特に限定されず、例えば、放射線検出器２０の放射線Ｒの入射側の反対側の位置であって、放射線検出器２０と重なる位置に配置されてもよい。
【００３２】
次に、図３を参照して、本実施の形態に係る放射線画像撮影装置１６の電気系の要部構成について説明する。
【００３３】
図３に示すように、ＴＦＴ基板３０には、画素３２が一方向（図３の行方向）及び一方向に交差する交差方向（図３の列方向）に２次元状に複数設けられている。画素３２は、センサ部３２Ａ、及び電界効果型薄膜トランジスタ（ＴＦＴ、以下、単に「薄膜トランジスタ」という。）３２Ｂを含んで構成される。
【００３４】
センサ部３２Ａは、図示しない上部電極、下部電極、及び光電変換膜等を含み、シンチレータ２２が発する光を吸収して電荷を発生させ、発生させた電荷を蓄積する。薄膜トランジスタ３２Ｂは、センサ部３２Ａに蓄積された電荷を電気信号に変換して出力する。なお、センサ部３２Ａが放射線量の増加に伴い、発生する電荷が増加する変換素子の一例である。
【００３５】
また、本実施の形態に係る薄膜トランジスタ３２Ｂは、アモルファスシリコンを含んで構成されている。なお、薄膜トランジスタ３２Ｂの詳細な構成については、例えば、特開２０１４−０２２８５１号公報、及び特開２０１４−２２０８４１号公報等に開示されているため、ここでの説明を省略する。
【００３６】
また、ＴＦＴ基板３０には、上記一方向に延設され、各薄膜トランジスタ３２Ｂをオン及びオフさせるための複数本のゲート配線３４が設けられている。また、ＴＦＴ基板３０には、上記交差方向に延設され、オン状態の薄膜トランジスタ３２Ｂを介して電荷を読み出すための複数本のデータ配線３６が設けられている。
【００３７】
また、ＴＦＴ基板３０の隣り合う２辺の一辺側にゲート線ドライバ５２が配置され、他辺側に信号処理部５４が配置されている。ＴＦＴ基板３０の個々のゲート配線３４はゲート線ドライバ５２に接続され、ＴＦＴ基板３０の個々のデータ配線３６は信号処理部５４に接続されている。
【００３８】
ＴＦＴ基板３０の各薄膜トランジスタ３２Ｂは、ゲート線ドライバ５２からゲート配線３４を介して供給される電気信号（以下、「制御信号」ともいう）により行単位で順にオン状態とされる。そして、オン状態とされた薄膜トランジスタ３２Ｂによって読み出された電荷は、電気信号としてデータ配線３６を伝送されて信号処理部５４に入力される。これにより、電荷は行単位で順に読み出され、二次元状の放射線画像を示す画像データが取得される。
【００３９】
信号処理部５４は、一例として図４に示すように、データ配線３６の各々に対応して、チャージアンプ８２と、第１サンプルホールド部の一例としてのサンプルホールド回路８３Ａと、を備えている。また、信号処理部５４は、データ配線３６の各々に対応して、第２サンプルホールド部の一例としてのサンプルホールド回路８３Ｂと、オペアンプ８５と、を備えている。また、信号処理部５４には制御部５８が接続されている。
【００４０】
チャージアンプ８２は、正入力側が接地されたオペアンプ８２Ａと、オペアンプ８２Ａの負入力側と出力側との間に、それぞれ並列に接続されるコンデンサ８２Ｂと、リセットスイッチ８２Ｃと、を備えている。また、リセットスイッチ８２Ｃは、制御部５８によって切り替えられる。
【００４１】
サンプルホールド回路８３Ａは、スイッチ８４Ａ及びコンデンサ８４Ｂを備えている。サンプルホールド回路８３Ｂは、スイッチ８４Ｃ及びコンデンサ８４Ｄを備えている。オペアンプ８５は、負入力側がサンプルホールド回路８３Ａの出力側に接続され、正入力側がサンプルホールド回路８３Ｂの出力側に接続される。すなわち、オペアンプ８５は、サンプルホールド回路８３Ａの出力信号とサンプルホールド回路８３Ｂの出力信号との差分の信号を出力する。なお、スイッチ８４Ａ、及びスイッチ８４Ｃも、制御部５８によって切り替えられる。
【００４２】
また、信号処理部５４は、マルチプレクサ８６及びＡ／Ｄ（Analog／Digital）変換器８８を備えている。なお、マルチプレクサ８６に設けられたスイッチ８６Ａのオン及びオフも、制御部５８によって切り替えられる。
【００４３】
放射線画像を検出する際に、制御部５８は、まず、チャージアンプ８２のリセットスイッチ８２Ｃを所定期間オン状態とすることにより、コンデンサ８２Ｂに蓄積された電荷を放電する。
【００４４】
一方、放射線Ｒが照射されることによって画素３２で発生された電荷は、センサ部３２Ａに蓄積され、オン状態とされた薄膜トランジスタ３２Ｂによってデータ配線３６に読み出される。データ配線３６に読み出された電荷は、電気信号として伝送され、対応するチャージアンプ８２により、予め定められた増幅率で増幅される。
【００４５】
一方、制御部５８は、前述したコンデンサ８２Ｂの放電を行った後、サンプルホールド回路８３Ａ、８３Ｂを異なるタイミングで各々所定期間駆動させる。これにより、チャージアンプ８２によって増幅された電気信号の信号レベルをサンプルホールド回路８３Ａ、８３Ｂによって、各々異なるタイミングでサンプルホールドする。また、サンプルホールド回路８３Ａ、８３Ｂの各々によりサンプルホールドされた電気信号の差分の電気信号がオペアンプ８５から出力される。すなわち、サンプルホールド回路８３Ａ、８３Ｂ及びオペアンプ８５によって、所謂相関二重サンプリングが行われる。
【００４６】
そして、各オペアンプ８５から出力された電気信号は、制御部５８による制御に応じてマルチプレクサ８６により順次選択され、Ａ／Ｄ変換器８８によってＡ／Ｄ変換されることにより、撮影された放射線画像を示す画像データが取得される。
【００４７】
信号処理部５４のＡ／Ｄ変換器８８から出力された画像データは制御部５８に順次出力される。制御部５８には画像メモリ５６が接続されており、信号処理部５４から順次出力された画像データは、制御部５８による制御によって画像メモリ５６に順次記憶される。画像メモリ５６は所定の枚数分の画像データを記憶可能な記憶容量を有しており、放射線画像の撮影が行われる毎に、撮影によって得られた画像データが画像メモリ５６に順次記憶される。
【００４８】
制御部５８は、ＣＰＵ（Central Processing Unit）６０、ＲＯＭ（Read Only Memory）とＲＡＭ（Random Access Memory）等を含むメモリ６２、及びフラッシュメモリ等の不揮発性の記憶部６４を備えている。制御部５８の一例としては、マイクロコンピュータ等が挙げられる。
【００４９】
通信部６６は、制御部５８に接続され、無線通信及び有線通信の少なくとも一方により、放射線照射装置１２及びコンソール１８等の外部の装置との間で各種情報の送受信を行う。電源部７０は、前述した各種回路や各素子(ゲート線ドライバ５２、信号処理部５４、画像メモリ５６、制御部５８、及び通信部６６等）に電力を供給する。なお、図３では、錯綜を回避するために、電源部７０と各種回路や各素子を接続する配線の図示を省略している。
【００５０】
以上の構成により、本実施の形態に係る放射線画像撮影装置１６は、放射線検出器２０を用いて、放射線画像の撮影を行う。
【００５１】
次に、図５を参照して、本実施の形態に係るコンソール１８の構成について説明する。図５に示すように、コンソール１８は、コンソール１８の全体的な動作を司るＣＰＵ９０、及び各種プログラムや各種パラメータ等が予め記憶されたＲＯＭ９２を備えている。また、コンソール１８は、ＣＰＵ９０による各種プログラムの実行時のワークエリア等として用いられるＲＡＭ９４、及びＨＤＤ（Hard Disk Drive）等の不揮発性の記憶部９６を備えている。
【００５２】
また、コンソール１８は、操作メニュー及び撮影により得られた放射線画像等を表示する表示部９８と、複数のキーを含んで構成され、各種の情報や操作指示が入力される操作パネル１００と、を備えている。また、コンソール１８は、無線通信及び有線通信の少なくとも一方により、放射線照射装置１２及び放射線画像撮影装置１６等の外部の装置との間で各種情報の送受信を行う通信部１０２を備えている。そして、ＣＰＵ９０、ＲＯＭ９２、ＲＡＭ９４、記憶部９６、表示部９８、操作パネル１００、及び通信部１０２の各部が、バス１０４を介して互いに接続されている。
【００５３】
ところで、本実施の形態に係る放射線画像撮影システム１０では、静止画像の撮影に加え、放射線Ｒをパルス状に照射して放射線画像の撮影を連続的に行う透視撮影（動画撮影）が可能とされている。なお、以下では、放射線Ｒを照射して画素３２に電荷を蓄積する期間を「蓄積期間」といい、蓄積期間に画素３２に蓄積された電荷を、蓄積期間の後に放射線Ｒが非照射の状態で読み出して画像データを取得する期間を「読出期間」という。
【００５４】
一例として図６に示すように、放射線Ｒをパルス状に照射した状態での透視撮影では、フレームレートに応じて、蓄積期間及び読出期間が繰り返されることにより、透視撮影が行われる。なお、図６の下段は、単位時間当たりの放射線量を示している。
【００５５】
また、本実施の形態に係る放射線画像撮影システム１０では、第１撮影モードの一例としての高速モードでの撮影と、第２撮影モードの一例としての通常モードでの撮影とが可能とされている。まず、図７を参照して、通常モードでの撮影における処理について説明する。
【００５６】
図７に示すように、通常モードでは、制御部５８は、読出期間において、まず、リセットスイッチ８２Ｃを所定期間オン状態とすることにより、コンデンサ８２Ｂに蓄積された電荷を放電する。次に、制御部５８は、スイッチ８４Ａを所定期間オン状態とすることにより、サンプルホールド回路８３Ａによってチャージアンプ８２から出力された電気信号をサンプルホールドする。
【００５７】
次に、制御部５８は、薄膜トランジスタ３２Ｂを所定期間オン状態とする。これにより、センサ部３２Ａに蓄積された電荷は、電気信号としてデータ配線３６に伝送される。次に、制御部５８は、薄膜トランジスタ３２Ｂをオン状態からオフ状態に切り替えた後、期間Ｔの間待機する。次に、制御部５８は、スイッチ８４Ｃを所定期間オン状態とすることにより、サンプルホールド回路８３Ｂによってチャージアンプ８２から出力された電気信号をサンプルホールドする。そして、制御部５８は、オペアンプ８５から出力され、Ａ／Ｄ変換器８８により変換されたデジタル信号を、画素３２の出力値として取得する。
【００５８】
次に、図８を参照して、制御部５８が期間Ｔの間待機する理由について説明する。図８の（１）に示すように、薄膜トランジスタ３２Ｂをオフ状態からオン状態にする際に、薄膜トランジスタ３２Ｂのゲート電極とソース電極との間の寄生容量Ｃｇｓから電荷が移動する。この移動により生じる電荷は、図８の（２）に示すように、薄膜トランジスタ３２Ｂをオン状態からオフ状態にする際に寄生容量Ｃｇｓから生じる電荷で打ち消される。従って、制御部５８は、薄膜トランジスタ３２Ｂをオン状態からオフ状態に切り替えた後、期間Ｔの間待機することによって、上記電荷が打ち消されるまでの期間を確保している。
【００５９】
次に、図９を参照して、高速モードでの撮影における処理について、通常モードでの撮影と異なる点を説明する。
【００６０】
図９に示すように、高速モードでは、制御部５８は、読出期間において、薄膜トランジスタ３２Ｂがオン状態である間に、スイッチ８４Ｃを所定期間オン状態とする。これにより、制御部５８は、サンプルホールド回路８３Ｂによってチャージアンプ８２から出力された電気信号をサンプルホールドする。具体的には、制御部５８は、薄膜トランジスタ３２Ｂをオン状態とした後、スイッチ８４Ｃをオン状態とすることにより、サンプルホールド回路８３Ｂによるサンプルを開始する。そして、制御部５８は、薄膜トランジスタ３２Ｂをオフ状態とする際に、スイッチ８４Ｃもオフ状態とすることにより、サンプルホールド回路８３Ｂによってチャージアンプ８２から出力された電気信号の信号レベルをホールドする。
【００６１】
すなわち、本実施の形態に係る放射線画像撮影装置１６は、通常モードでは、薄膜トランジスタ３２Ｂをオフ状態としてサンプルホールド回路８３Ａによりデータ配線３６を伝送される電気信号をサンプルホールドする。そして、放射線画像撮影装置１６は、薄膜トランジスタ３２Ｂをオン状態とした後にオフ状態として、期間Ｔの経過後にサンプルホールド回路８３Ｂによりデータ配線３６を伝送される電気信号をサンプルホールドする。
【００６２】
一方、本実施の形態に係る放射線画像撮影装置１６は、高速モードでは、薄膜トランジスタ３２Ｂをオフ状態としてサンプルホールド回路８３Ａによりデータ配線３６を伝送される電気信号をサンプルホールドする。そして、放射線画像撮影装置１６は、薄膜トランジスタ３２Ｂをオン状態としている最中に、サンプルホールド回路８３Ｂによりデータ配線３６を伝送される電気信号をサンプルホールドする。なお、以下では、錯綜を回避するために、サンプルホールド回路８３Ａによりサンプルホールドされた電気信号を「第１電気信号」ともいう。また、以下では、サンプルホールド回路８３Ｂによりサンプルホールドされた電気信号を「第２電気信号」ともいう。
【００６３】
従って、高速モードでは、前述した薄膜トランジスタ３２Ｂをオン状態からオフ状態にする際に寄生容量Ｃｇｓから生じる電荷が打ち消されないこととなる。そこで、本実施の形態に係る放射線画像撮影装置１６は、放射線画像の撮影に先立って放射線Ｒの非照射時に上記高速モードでの読出期間の制御と同様の制御を行う。具体的には、放射線画像撮影装置１６は、放射線画像撮影装置１６のセットアップ時、及び電源スイッチが１日の中で最初にオン状態とされた場合等の放射線画像撮影装置１６のキャリブレーションを行うタイミングで、放射線Ｒが非照射の状態で上記高速モードでの読出期間の制御と同様の制御を行う。また、放射線画像撮影装置１６のキャリブレーションを行うタイミングとしては、例えば、１時間に１回等の定期的なタイミングも挙げられる。
【００６４】
そして、放射線画像撮影装置１６は、放射線画像の撮影に先立って放射線Ｒの非照射時に上記制御を行ってオペアンプ８５から出力された、第１電気信号と第２電気信号との差の電気信号がＡ／Ｄ変換器８８によって変換されたデジタル信号を補正値として取得する。なお、本実施の形態に係る放射線画像撮影装置１６は、上記補正値を画素３２毎に取得する。
【００６５】
また、放射線画像撮影装置１６は、取得した補正値を用いて、高速モードでの撮影により得られた上記第１電気信号と第２電気信号との差を補正する。具体的には、放射線画像撮影装置１６は、高速モードでの撮影により得られた上記差により示される画像データの各画素値から、各画素に対応して取得された上記補正値を減算することによって、補正後の画像データを生成する。
【００６６】
また、高速モードでの読出期間において、本実施の形態に係る放射線画像撮影装置１６は、上記補正値を取得する場合における薄膜トランジスタ３２Ｂに入力する制御信号の電圧値で、薄膜トランジスタ３２Ｂに制御信号を入力する。すなわち、本実施の形態では、上記補正値を取得する場合における薄膜トランジスタ３２Ｂに入力するゲート電圧と、画像データを取得する場合における薄膜トランジスタ３２Ｂに入力するゲート電圧と、が同じ電圧値とされている。
【００６７】
なお、ここでは、放射線画像の撮影期間とは、例えば、照射ボタンによる放射線Ｒの照射の指示等の撮影を開始する指示が入力されてから、診断に用いる放射線画像を示す画像データの取得が完了するまでの期間としている。具体的には、例えば、照射ボタンが押下されている間、放射線照射装置１２が放射線Ｒをパルス状に照射する構成の場合で、かつ静止画撮影の場合は、放射線技師等のユーザは、放射線画像の撮影を開始する場合に照射ボタンを押下し、照射ボタンを押し続ける。そして、この場合、ユーザは、例えば、撮影により得られた静止画像がコンソール１８の表示部９８に表示されたことを目視で確認した後に、照射ボタンの押下を止める。すなわち、この場合は、照射ボタンが押下されている間が放射線画像の撮影期間である。
【００６８】
また、例えば、照射ボタンが押下されている間、放射線照射装置１２が放射線Ｒをパルス状に照射する構成の場合で、かつ透視撮影の場合は、ユーザは、放射線画像の撮影を開始する場合に照射ボタンを押下し、照射ボタンを押し続ける。そして、この場合、ユーザは、例えば、撮影により得られた動画像がコンソール１８の表示部９８に表示されたことを目視で確認する。そして、ユーザは、表示部９８に表示された動画像が、診断に必要な時点まで撮影された動画像であると判断した場合に、照射ボタンの押下を止める。すなわち、この場合も、照射ボタンが押下されている間が放射線画像の撮影期間である。
【００６９】
また、本実施の形態に係る放射線画像撮影装置１６では、上記通常モードでの撮影と、上記高速モードでの撮影とが切り替え可能とされている。本実施の形態では、一例として図１０に示す撮影モード選択画面によって、ユーザにより撮影モードが選択される。例えば、撮影モード選択画面は、ユーザがコンソール１８を介して撮影メニューを入力する場合に、表示部９８に表示され、ユーザは、操作パネル１００を介して撮影モードを選択する。
【００７０】
次に、図１１及び図１２を参照して、本実施の形態に係る放射線画像撮影システム１０の作用を説明する。なお、ここでは、放射線Ｒをパルス状に照射した状態での透視撮影を行う場合について説明する。
【００７１】
図１１は、ユーザにより操作パネル１００を介して被検体Ｗの氏名、撮影部位、及び撮影条件等を含む撮影メニューが入力された場合にコンソール１８のＣＰＵ９０によって実行される全体撮影処理プログラムの処理の流れを示すフローチャートである。また、この全体撮影処理プログラムはコンソール１８のＲＯＭ９２に予めインストールされている。なお、上記撮影条件には、例えば、放射線照射装置１２に設定される管電圧、管電流、及び１パルスの照射期間等の照射条件と、撮影モードを示す情報と、フレームレート等が含まれる。
【００７２】
また、図１２は、放射線画像撮影装置１６の電源スイッチがオン状態とされた場合に放射線画像撮影装置１６の制御部５８によって実行される放射線画像撮影処理プログラムの処理の流れを示すフローチャートである。また、この放射線画像撮影処理プログラムは制御部５８のメモリ６２のＲＯＭに予めインストールされている。
【００７３】
図１１のステップＳ１０で、コンソール１８のＣＰＵ９０は、入力された撮影メニューに含まれる情報を放射線画像撮影装置１６に通信部１０２を介して送信し、かつ放射線Ｒの照射条件を放射線照射装置１２に通信部１０２を介して送信する。そして、ＣＰＵ９０は、放射線Ｒの照射開始の指示を放射線画像撮影装置１６及び放射線照射装置１２に通信部１０２を介して送信する。放射線照射装置１２は、コンソール１８から送信された照射条件及び照射開始の指示を受信すると、受信した照射条件に従って放射線Ｒをパルス状に照射する。なお、放射線照射装置１２が照射ボタンを備えている場合は、放射線照射装置１２は、コンソール１８から送信された照射条件及び照射開始の指示を受信し、かつ照射ボタンが押圧操作された場合に、受信した照射条件に従って放射線Ｒをパルス状に照射する。
【００７４】
次のステップＳ１２で、ＣＰＵ９０は、後述するように放射線画像撮影装置１６により送信された画像データを受信するまで待機する。ＣＰＵ９０が、放射線画像撮影装置１６により送信された画像データを受信するとステップＳ１２が肯定判定となり、処理はステップＳ１４に移行する。
【００７５】
ステップＳ１４で、ＣＰＵ９０は、ステップＳ１２で受信された画像データを記憶部９６に記憶する。次のステップＳ１６で、ＣＰＵ９０は、ステップＳ１２で受信された画像データにより示される放射線画像を表示部９８に表示する。
【００７６】
次のステップＳ１８で、ＣＰＵ９０は、透視撮影を終了するタイミングが到来したか否かを判定する。透視撮影を終了するタイミングとしては、例えば、ユーザにより操作パネル１００を介して透視撮影を終了する指示が入力されたタイミング、及び上記照射ボタンが再び押圧操作されたタイミング等が挙げられる。ステップＳ１８の判定が否定判定となった場合は、処理はステップＳ１２に戻り、肯定判定となった場合は、処理はステップＳ２０に移行する。
【００７７】
ステップＳ２０で、ＣＰＵ９０は、透視撮影を終了する指示を放射線画像撮影装置１６及び放射線照射装置１２に通信部１０２を介して送信した後、本全体撮影処理を終了する。放射線照射装置１２は、コンソール１８から送信された透視撮影を終了する指示を受信すると、放射線Ｒの照射を終了する。
【００７８】
一方、図１２のステップＳ２８で、放射線画像撮影装置１６の制御部５８は、電源スイッチがオン状態とされたことが、当日の中で最初であるか否かを判定する。この判定が否定判定となった場合は、処理はステップＳ４４に移行し、肯定判定となった場合は、処理はステップＳ３０に移行する。
【００７９】
次のステップＳ３０〜ステップＳ４２で、制御部５８は、図９に示した高速モードのタイミングチャートの読出期間における制御を、各ゲート配線３４に接続された画素３２について、１ラインずつ順に行う。すなわち、ステップＳ３０で、制御部５８は、各データ配線３６に対応するチャージアンプ８２のリセットスイッチ８２Ｃを所定期間オン状態とする。次のステップＳ３２で、制御部５８は、各データ配線３６に対応するサンプルホールド回路８３Ａのスイッチ８４Ａを所定期間オン状態とする。次のステップＳ３４で、制御部５８は、薄膜トランジスタ３２Ｂをオン状態とする。
【００８０】
次のステップＳ３６で、制御部５８は、各データ配線３６に対応するサンプルホールド回路８３Ｂのスイッチ８４Ｃをオン状態とする。次のステップＳ３８で、制御部５８は、所定期間待機してから、各データ配線３６に対応するサンプルホールド回路８３Ｂのスイッチ８４Ｃをオフ状態とし、かつ薄膜トランジスタ３２Ｂをオフ状態とする。
【００８１】
次のステップＳ４０で、制御部５８は、Ａ／Ｄ変換器８８から出力されたデジタル信号を補正値として取得する。次のステップＳ４２で、制御部５８は、ステップＳ４０で取得された補正値を、補正値の取得対象とした画素３２に対応付けて記憶部６４に記憶する。
【００８２】
次のステップＳ４４で、制御部５８は、放射線検出器２０の各画素３２のセンサ部３２Ａに蓄積された電荷を取り出して除去するリセット動作を行う。なお、制御部５８は、本ステップＳ４４でのリセット動作を、１回のみ行ってもよいし、予め定められた複数回繰り返して行ってもよいし、後述するステップＳ４６の判定が肯定判定となるまで繰り返して行ってもよい。
【００８３】
次のステップＳ４６で、制御部５８は、放射線Ｒの照射開始の指示を受信するまで待機する。上記全体撮影処理のステップＳ１０の処理によりコンソール１８から送信された照射開始の指示を制御部５８が通信部６６を介して受信すると、ステップＳ４６の判定が肯定判定となり、ステップＳ４８に移行する。なお、放射線照射装置１２が照射ボタンを備えている場合は、コンソール１８から送信された照射開始の指示、及び照射ボタンが押圧操作されたことを示す情報を制御部５８が通信部６６を介して受信した場合に、ステップＳ４６の判定が肯定判定となる。この場合、例えば、放射線照射装置１２は、照射ボタンが押圧操作された場合に、照射ボタンが押圧操作されたことを示す情報を、放射線画像撮影装置１６に直接送信してもよいし、コンソール１８を介して放射線画像撮影装置１６に送信してもよい。
【００８４】
ステップＳ４８で、制御部５８は、上記全体撮影処理のステップＳ１０の処理によりコンソール１８から送信された情報に含まれる放射線Ｒの照射期間の間待機する。次のステップＳ５０で、制御部５８は、選択された撮影モードが高速モードであるか否かを判定する。この判定が肯定判定となった場合は、処理はステップＳ５２に移行する。
【００８５】
ステップＳ５２〜ステップＳ６２で、制御部５８は、ステップＳ３０〜ステップＳ４０と同様の処理を行う。これにより、ステップＳ６２において、制御部５８は、各画素３２の画素値を取得し、取得した画素値で構成される画像データを画像メモリ５６に記憶する。次のステップＳ６４で、制御部５８は、上記ステップＳ６２で画像メモリ５６に記憶された画像データに対し、各種補正を行う画像処理を実行する。本実施の形態では、制御部５８は、画像メモリ５６に記憶された画像データに対し、オフセット補正を行う。次に、制御部５８は、オフセット補正を経た画像データの各画素の画素値から、各画素に対応してステップＳ４０で取得された補正値を対応する画素毎に減算する補正処理を行う。
【００８６】
次に、制御部５８は、上記補正処理を経た画像データに対し、ゲイン補正及び欠陥画素補正を行う。なお、上記補正値を減算する補正処理を行うタイミングは特に限定されない。例えば、上記補正値を減算する補正処理をゲイン補正の後に行ってもよいし、欠陥画素補正の後に行ってもよい。
【００８７】
一方、ステップＳ５０の判定が否定判定となった場合は、撮影モードが通常モードであると見なして、処理はステップＳ６６に移行する。
【００８８】
ステップＳ６６〜ステップＳ７４で、制御部５８は、図７に示した通常モードのタイミングチャートの読出期間における制御を、各ゲート配線３４に接続された画素３２について、１ラインずつ順に行う。すなわち、ステップＳ６６で、制御部５８は、上記ステップＳ３０と同様に、各データ配線３６に対応するチャージアンプ８２のリセットスイッチ８２Ｃを所定期間オン状態とする。次のステップＳ６８で、制御部５８は、上記ステップＳ３２と同様に、各データ配線３６に対応するサンプルホールド回路８３Ａのスイッチ８４Ａを所定期間オン状態とする。
【００８９】
次のステップＳ７０で、制御部５８は、薄膜トランジスタ３２Ｂを所定期間オン状態とする。なお、この際、制御部５８は、上記ステップＳ３４及びステップＳ５６の処理で入力したゲート電圧を同じ電圧値のゲート電圧を薄膜トランジスタ３２Ｂに入力することによって、薄膜トランジスタ３２Ｂをオン状態とする。
【００９０】
次のステップＳ７２で、制御部５８は、期間Ｔの間待機してから、各データ配線３６に対応するサンプルホールド回路８３Ｂのスイッチ８４Ｃを所定期間オン状態とする。次のステップＳ７４で、制御部５８は、Ａ／Ｄ変換器８８から出力されたデジタル信号を画素値として取得する。そして、制御部５８は、各画素３２について取得した画素値で構成される画像データを画像メモリ５６に記憶する。
【００９１】
次のステップＳ７６で、制御部５８は、上記ステップＳ７４で画像メモリ５６に記憶された画像データに対し、各種補正を行う画像処理を実行する。本実施の形態では、制御部５８は、画像メモリ５６に記憶された画像データに対し、オフセット補正を行う。次に、制御部５８は、オフセット補正を経た画像データに対し、ゲイン補正及び欠陥画素補正を行う。
【００９２】
ステップＳ７８で、制御部５８は、撮影モードに応じてステップＳ６４又はステップＳ７６の画像処理を経た画像データをコンソール１８に送信する。次のステップＳ８０で、制御部５８は、上記全体撮影処理のステップＳ２０の処理によりコンソール１８から送信された透視撮影を終了する指示を受信したか否かを判定する。この判定が否定判定となった場合は、処理はステップＳ４８に戻り、肯定判定となった場合は、本放射線画像撮影処理が終了する。
【００９３】
以上説明したように、本実施の形態によれば、画素３２に蓄積された電荷を読み出す場合に、薄膜トランジスタ３２Ｂをオフ状態としてサンプルホールド回路８３Ａによりデータ配線３６を伝送される第１電気信号をサンプルホールドしている。さらに、この場合、薄膜トランジスタ３２Ｂをオン状態としてサンプルホールド回路８３Ｂによりデータ配線３６を伝送される第２電気信号をサンプルホールドしている。従って、放射線画像の撮影時間を短縮することができる。
【００９４】
また、本実施の形態によれば、上記補正値を画素３２に蓄積された電荷を読み出す前に取得している。従って、全ての画素３２に蓄積された電荷の読み出しが完了していなくても、読み出しが完了した画素３２から順次補正値を用いた補正を行うことができる。
【００９５】
なお、上記実施の形態では、放射線画像の撮影に先立って放射線Ｒの非照射時に上記補正値を取得する場合について説明したが、これに限定されない。例えば、放射線画像の撮影を行う毎に放射線Ｒの非照射時に上記補正値を取得する形態としてもよい。この場合、一例として図１３に示すように、撮影開始の指示が入力された場合に、上記補正値を取得する制御を行い、補正値を取得した後に放射線Ｒの照射を開始する形態としてもよい。この場合、例えば、コンソール１８は、ユーザにより撮影メニューが入力された場合に、補正値の取得を開始する指示を放射線画像撮影装置１６に送信する。また、放射線画像撮影装置１６は、補正値の取得を開始する指示が入力された場合に補正値を取得し、補正値の取得が完了したことを示す情報をコンソール１８に送信する。そして、コンソール１８は、補正値の取得が完了したことを示す情報を受信した場合に、上記全体撮影処理のステップＳ１０以降の処理を実行する形態が例示される。また、この場合、放射線画像撮影装置１６は、補正値の取得が完了したことを示す情報をコンソール１８に送信した後に、上記放射線画像撮影処理のステップＳ４４以降の処理を実行する形態が例示される。
【００９６】
また、上記実施の形態では、全ての画素３２について、上記補正値を取得する場合について説明したが、これに限定されない。例えば、予め定められた一部の画素３２について上記補正値を取得し、全ての画素３２の画素値の補正に、取得した補正値を用いる形態としてもよい。
【００９７】
また、上記実施の形態では、透視撮影において高速モードでの撮影を行う場合について説明したが、これに限定されない。例えば、静止画像の撮影においても上記実施の形態と同様の高速モードでの撮影を行う形態としてもよい。
【００９８】
また、上記実施の形態では、ユーザにより選択された撮影モードに従って通常モードと高速モードとを切り替える場合について説明したが、これに限定されない。例えば、静止画撮影の場合に通常モードで放射線画像の撮影を行い、放射線Ｒをパルス状に照射した状態での透視撮影の場合に高速モードで放射線画像の撮影を行う形態としてもよい。また、透視撮影において、フレームレートが所定値未満の場合に通常モードで放射線画像の撮影を行い、フレームレートが上記所定値以上の場合に高速モードで放射線画像の撮影を行う形態としてもよい。
【００９９】
また、上記実施の形態では、放射線検出器２０に、放射線Ｒを一旦光に変換し、変換した光を電荷に変換する間接変換型の放射線検出器を適用した場合について説明したが、これに限定されない。例えば、放射線検出器２０に、放射線Ｒを電荷へ直接変換する直接変換型の放射線検出器を適用する形態としてもよい。
【０１００】
また、上記実施の形態では、放射線検出器２０に、シンチレータ２２側から放射線Ｒが入射される裏面読取方式の放射線検出器を適用した場合について説明したが、これに限定されない。例えば、放射線検出器２０に、ＴＦＴ基板３０側から放射線Ｒが照射される表面読取方式（所謂ＩＳＳ（Irradiation Side Sampling）方式）の放射線検出器を適用する形態としてもよい。
【０１０１】
また、上記実施の形態において、制御部５８により実現される機能は、コンソール１８のＣＰＵ９０で実現してもよい。
【０１０２】
また、上記実施の形態では、全体撮影処理プログラムがＲＯＭ９２に予め記憶（インストール）されている態様を説明したが、これに限定されない。全体撮影処理プログラムは、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の記録媒体に記録された形態で提供されてもよい。また、全体撮影処理プログラムは、ネットワークを介して外部装置からダウンロードされる形態としてもよい。
【０１０３】
また、上記実施の形態では、放射線画像撮影処理プログラムが制御部５８のメモリ６２のＲＯＭに予め記憶されている態様を説明したが、これに限定されない。放射線画像撮影処理プログラムは、上記記録媒体に記録された形態で提供されてもよい。また、放射線画像撮影処理プログラムは、ネットワークを介して外部装置からダウンロードされる形態としてもよい。
【符号の説明】
【０１０４】
１０  放射線画像撮影システム
１２  放射線照射装置
１４  放射線源
１６  放射線画像撮影装置
１８  コンソール
２０  放射線検出器
２１  筐体
２２  シンチレータ
２６  制御基板
２８  ケース
３０  ＴＦＴ基板
３２  画素
３２Ａ  センサ部
３２Ｂ  薄膜トランジスタ
３４  ゲート配線
３６  データ配線
５２  ゲート線ドライバ
５４  信号処理部
５６  画像メモリ
５８  制御部
６０、９０  ＣＰＵ
６２  メモリ
６４、９６  記憶部
６６、１０２  通信部
７０  電源部
８２  チャージアンプ
８２Ａ  オペアンプ
８２Ｂ、８４Ｂ、８４Ｄ  コンデンサ
８２Ｃ  リセットスイッチ
８３Ａ、８３Ｂ  サンプルホールド回路
８４Ａ、８４Ｃ、８６Ａ  スイッチ
８６  マルチプレクサ
８８  Ａ／Ｄ変換器
９２  ＲＯＭ
９４  ＲＡＭ
９８  表示部
１００  操作パネル
１０４  バス
Ｃｇｓ  寄生容量
Ｒ  放射線
Ｗ  被検体
【図１】
2018068874.tif 000003
【図２】
2018068874.tif 000004
【図３】
2018068874.tif 000005
【図４】
2018068874.tif 000006
【図５】
2018068874.tif 000007
【図６】
2018068874.tif 000008
【図７】
2018068874.tif 000009
【図８】
2018068874.tif 000010
【図９】
2018068874.tif 000011
【図１０】
2018068874.tif 000012
【図１１】
2018068874.tif 000013
【図１２】
2018068874.tif 000014
【図１３】
2018068874.tif 000015